(57)【要約】【課題】小型で、洗浄機能を有し、確実な分別をなす生ゴミ収納袋の洗浄分別装置を提供する。【課題の解決手段】洗浄分別装置１は、生ゴミ収納袋を投入する投入口４、生ゴミ収納袋から押し出した生ゴミを排出する生ゴミ排出口６、破袋した生ゴミ収納袋を排出する排出口８を設けたケーシング３と、洗浄水を注水する注水機構１７，２６と、生ゴミ収納袋を透孔１０ａを有する回転ドラム１０に向けて移送しながら破袋する移送スクリウ１１と、回転ドラム１０内に移送スクリウ１１と同一軸線上に設けた回転軸１８に、軸線に対して角度をなして固定し、先端は回転軸１８の回転方向とは反対方向に傾斜し、移送スクリウ１１で破袋されなかった生ゴミ収納袋を破袋して生ゴミとともに移送しながら、生ゴミを回転ドラム１０の透孔１０ａから押し出すように生ゴミ排出口６へ排出する一方、破袋した生ゴミ収納袋を排出口８から排出する移送羽根２４とを備える。【選択図】図１
2010029829.tif 000002
【特許請求の範囲】
【請求項１】
生ゴミを収納した生ゴミ収納袋を投入する投入口と、破袋された生ゴミ収納袋から押し出した生ゴミを排出する生ゴミ排出口と、破袋された生ゴミ収納袋を排出する排出口とを設けたケーシングと、
前記ケーシング内に洗浄水を注水して、少なくとも破袋されもしくは未破袋の生ゴミ収納袋を洗浄する注水機構と、
前記ケーシング内に前記生ゴミ排出口に対応するよう回転自在に設けた、周面全体に透孔を有する回転ドラムと、
前記投入口から投入された前記生ゴミ収納袋を破袋して、破袋した生ゴミ収納袋から押し出した生ゴミとともに前記回転ドラムに向けて移送する移送スクリウと、
前記回転ドラム内に前記移送スクリウと同一軸線上に設けた回転軸に、軸線に対して角度をなして固定し、先端には前記回転軸の回転方向とは反対方向に傾斜した先端傾斜部を形成し、前記移送スクリウで破袋されなかった生ゴミ収納袋を破袋して押出した生ゴミとともに移送しながら、前記先端傾斜部で生ゴミを前記回転ドラムの透孔から押し出すように生ゴミ排出口に向けて排出する一方、破袋された生ゴミ収納袋を前記排出口から排出する移送羽根と
を備えたことを特徴とする生ゴミ収納袋の洗浄分別装置。
【請求項２】
移送羽根は、断面多角形状である回転軸の平面部に固定したことを特徴とする請求項１記載の生ゴミ収納袋の洗浄分別装置。
【請求項３】
回転ドラム内に外気を導入するダンパー機構を設けたことを特徴とする請求項１または請求項２記載の生ゴミ収納袋の洗浄分別装置。
【発明の詳細な説明】
【技術分野】
【０００１】
本発明は、生ゴミを入れたビニール製袋などの生ゴミ収納袋を破袋するとともに洗浄し、破袋した生ゴミ収納袋と、生ゴミ収納袋から押し出した生ゴミとを分別して収集する生ゴミ収納袋の洗浄分別装置に関する。
【背景技術】
【０００２】
従来における、ゴミ袋などを破袋あるいは小片状に破砕して、収納していた生ゴミと分別する小型の装置では、ゴミ袋などを洗浄することなく生ゴミと分別するのが一般的である（例えば、特許文献１参照）。そして、従来の洗浄機構を備えたこの種分別装置としては、大型のものしか存在しなかった（例えば、特許文献２あるいは特許文献３参照）。
【０００３】
【特許文献１】特開２００２−３５６２９号公報
【特許文献２】特開平７−２１７８３３号公報
【特許文献３】特表２００７−５２７７８１号公報
【０００４】
このため、小型で洗浄機能を有する生ゴミ収納袋の分別装置の開発が要望されていた。
【発明の開示】
【発明が解決しようとする課題】
【０００５】
本発明は、このような事情に鑑みてなされたもので、生ゴミ収納袋を破袋するとともに洗浄し、破袋した生ゴミ収納袋と、この生ゴミ収納袋から押し出した生ゴミとを、分別して収集する、小型の生ゴミ収納袋の洗浄分別装置を提供することを目的とする。
【課題を解決するための手段】
【０００６】
この目的を達成するために、本発明に係る生ゴミ収納袋の洗浄分別装置は、生ゴミが収納された生ゴミ収納袋を投入する投入口を有する供給室と、この供給室に連設し、周面全体に透孔を有する回転ドラムの透孔から排出される生ゴミを取り出す生ゴミ排出口を設けた分別室と、この分別室に連設し、破袋された生ゴミ収納袋を排出する排出口を有する排出室とを有するケーシングを備え、前記供給室内には前記生ゴミ収納袋を破袋し、破袋した生ゴミ収納袋から押し出した生ゴミとともに前記回転ドラムに向けて移送する移送スクリウを設ける一方、前記供給室内と前記分別室内に洗浄水を注水して生ゴミ収納袋及び破袋した生ゴミ収納袋から押し出した生ゴミを洗浄する注水機構を設け、前記回転ドラム内には、前記移送スクリウと同一軸線上に設けた回転軸に軸線に対して角度をなして固定し、先端が前記回転軸の回転方向とは反対方向に傾斜してなる先端傾斜部を有する移送羽根を設け、この移送羽根によって供給室内で破袋されなかった生ゴミ収納袋を破袋して押し出した生ゴミとともに移送しながら、前記先端傾斜部で生ゴミを前記回転ドラムの透孔から押し出すようにして生ゴミ排出口に排出する一方、破袋された生ゴミ収納袋を前記排出口から排出するものである。
【０００７】
また、同じく上記目的を達成するために、本発明に係る生ゴミ収納袋の洗浄分別装置は、上記生ゴミ収納袋の洗浄分別装置における移送羽根を、断面多角形状である回転軸の平面部に固定すると好適である。
【０００８】
さらに、同じく上記目的を達成するために、本発明に係る生ゴミ収納袋の洗浄分別装置は、上記各構成において、回転ドラム内に外気を導入するダンパー機構を設けるとより好適である。
【発明の効果】
【０００９】
本発明に係る生ゴミ収納袋の洗浄分別装置によれば、小型で、洗浄機能を有し、確実な分別をなし得る、という効果を奏する。
【発明を実施するための最良の形態】
【００１０】
以下、本発明の好適な実施形態を添付図面に基づき説明する。ここにおいて、図１は装置全体を示す正面断面図、図２は移送羽根を示す平面図、図３は移送羽根と回転ドラムとの関係を示す側面断面図である。
【００１１】
図１に示すように、生ゴミ収納袋の洗浄分別装置１は、機台２上にケーシング３を設けている。このケーシング３の一端側には生ゴミが収納された生ゴミ収納袋（図示せず、以下同じ。）を投入する投入口４を有する供給室５を設け、この供給室５に続けて破袋した生ゴミ収納袋と生ゴミを分別して生ごみを生ゴミ排出口６から取り出す分別室７を設け、この分別室７に続けて生ゴミと分別した破袋された生ゴミ収納袋を排出する排出口８を有する排出室９を設けてなる。
【００１２】
また、前記分別室７内には、パンチングメタル状に周面全体に透孔１０ａを形成した回転ドラム１０を回転自在に配設している。この回転ドラム１０は、４本のローラフォロア２７，２８（２本のみ図示）に回転自在に支持されるとともに、図示していない駆動モータの駆動軸に連繋された環状プーリに連結されている。
【００１３】
供給室５内には、生ゴミ収納袋を回転ドラム１０内に向けて移送しながら破袋する移送スクリウ１１を設けている。この移送スクリウ１１の回転軸１２は円筒状で、ケーシング３に回転自在に片持ち支持されて、ケーシング３外で従動プーリ１３に連結されている。この回転軸１２は、前記従動プーリ１３と正逆回転可能な駆動モータ１４の駆動軸に設けた駆動プーリ１５とに掛け渡したプーリベルト１６を介して、前記駆動モータ１４の回転駆動力で正逆回転される。また、前記供給室５内に洗浄水を注水して生ゴミ収納袋及び破袋された生ゴミ収納袋から押し出した生ゴミを洗浄する注水ノズル１７を設けている。
【００１４】
また、ケーシング３内には、移送スクリウ１１の回転軸１２と同一軸線上に設けた回転軸１８の両端を回転自在に支持している。この回転軸１８の一端側は、円筒状の回転軸１２を回転自在に挿通して、ケーシング３外で従動プーリ１９に連結されている。この回転軸１８は、前記従動プーリ１９と駆動モータ２０の駆動軸に設けた駆動プーリ２１とに掛け渡したプーリベルト２２を介して、前記駆動モータ２０の回転駆動力で回転される。
【００１５】
さらに、回転軸１８の一端側の円筒状の回転軸１２を挿通する部分１８ａと、他端側の円形状の排出ガイド板２３より先の部分１８ｂは断面円形状で、残りの部分１８ｃは断面四角形状に形成している。そして、回転軸１８の断面四角形状部分１８ｃが回転ドラム１０に対応位置し、この回転軸１８の断面四角形状部分１８ｃの各平面部分に、軸線に対して角度をなして移送羽根２４を固定している（図２参照）。移送羽根２４は４枚設けられており、供給室５側から徐々に立ち上がるとともに、各先端が前記回転軸１８の回転方向とは反対方向に傾斜して、先端傾斜部２４ａを形成している（図３参照）。
【００１６】
これら移送羽根２４は、弾性を有することが望ましく、その先端傾斜部２４ａと回転ドラム１０内周面との間隔は数ｍｍ程度が好適である。そして、これら移送羽根２４は、供給室５内の移送スクリウ１１で破袋しきれなかった生ゴミ収納袋を破袋して押出した生ゴミとともに移送しながら、先端傾斜部２４ａで生ゴミを回転ドラム１０の透孔１０ａから押し出すようにして、生ゴミ取出口６へ排出するものである。また、これら移送羽根２４は、破袋された生ゴミ収納袋を、排出ガイド板２３まで移送して衝突させ、その回転力で排出室９の排出口８から排出するものである。なお、回転軸１８による移送羽根２４の回転方向は、回転ドラム１０の回転方向とは反対に設定されている。
【００１７】
さらに、ケーシング３には、回転ドラム１０内に外気を導入するダンパー機構２５と、前記回転ドラム１０内に洗浄水を注水して、破袋した生ゴミ収納袋及び破砕した生ゴミ収納袋から押し出した生ゴミを洗浄する注水ノズル２６を設けている。そして、この注水ノズル２６と供給室５へ洗浄水を注水する注水ノズル１７とによって注水機構を構成している。なお、前記ダンパー機構２５は、外気導入量を調整可能に構成されている。
【００１８】
本実施形態は以上のように構成したので、投入口４から投入された生ゴミ収納袋は、移送スクリウ１１によって回転ドラム１０内に連続的に定量ずつ移送される。この移送中に、生ゴミ収納袋は、押圧、圧縮されることにより、押しつぶされ、あるいは、移送スクリウ１１の刃で割かれて、大部分の袋が破袋される。そして、破袋された生ゴミ収納袋からは生ゴミが押し出されて、この生ゴミも生ゴミ収納袋とともに回転ドラム１０に向けて移送される。ここで、洗浄水が注水ノズル１７から注水されることにより、破袋され、あるいは未破袋の生ゴミ収納袋と、生ゴミ収納袋から押し出された生ゴミはともに洗浄される。
【００１９】
回転ドラム１０内に移送された、破袋された生ゴミ収納袋及び押し出された生ゴミ、あるいは未だ破袋されずに残った生ゴミ収納袋は、４枚の移送羽根２４によって排出室９に向けて移送される。この移送中に、破袋されなかった生ゴミ収納袋も、移送羽根２４や回転ドラム１０の透孔１０ａを設けた内周面に繰り返し衝突することで、全て破袋され、全ての生ゴミが袋から押し出される。このとき、再び洗浄水が注水ノズル２６から注水されることによって、破袋された生ゴミ収納袋及び押し出された生ゴミの洗浄が確実になされる。また、生ゴミは、回転ドラム１０の回転及びこの回転方向とは反対方向の移送羽根２４の回転によって、回転ドラム１０の内周面に押しつけられ、すりつぶされて、移送羽根２４の先端傾斜部２４ａで透孔１０ａから生ゴミ排出口６に押し出される。
【００２０】
一方、破袋された生ゴミ収納袋は軽いので、ダンパー機構２５から導入された外気の作用ともあいまって、回転ドラム１０の内周面に押しつけられずに、排出室９内に移送され、回転している排出ガイド板２３に突き当たって、排出口８から外部に排出される。また、透孔１０ａの大きさに比べて生ゴミ収納袋の破袋片は十分に大きいので、破袋片が回転ドラム１０の内周面に押しつけられたとしても、透孔１０ａから外部に排出される虞はない。
【００２１】
さらに、生ゴミ収納袋に生ゴミ以外の異物、例えばスプーン、電池、飲料缶、ペットボトル、などが混入していた場合でも、これら異物は、先端傾斜部２４ａが弾性を有するので、この先端傾斜部２４ａと回転ドラム１０の内周面との間隔を拡げて通過し、あるいは、前記先端傾斜部２４ａによってはじかれて、移送羽根２４の回転によって排出室９内に移送され、排出ガイド板２３に突き当たって、排出口７から外部に排出される。
【００２２】
このようにして、破袋されて洗浄された生ゴミ収納袋と生ゴミは分別されて、収集される。なお、洗浄水の一部は供給室５及び分別室７内の熱で蒸発し、残りは生ゴミとともにゴミ排出口６から排出される。また、ダンパー機構２５から導入された外気は、回転ドラム１０の透孔１０ａの目詰まりを解消する作用も奏する。さらに、供給室５内で生ゴミ収納袋が詰まって移送不能状態になった場合には、移送スクリウ１１を逆回転することにより、解消できる。
【００２３】
なお、本発明は、上述した実施形態に限定されるものではなく、例えば、回転軸１８の断面四角形状部分１８ｃは三角形や五角形以上の多角形でもよい。また、注水機構１７，２６は、少なくとも破袋された生ゴミ収納袋を洗浄できるように設ければよい。
【図面の簡単な説明】
【００２４】
【図１】装置全体を示す正面断面図。
【図２】移送羽根を示す平面図。
【図３】移送羽根と回転ドラムとの関係を示す側面断面図。
【符号の説明】
【００２５】
１      洗浄分別装置
３      ケーシング
４      投入口
５      供給室
６      生ゴミ排出口
７      分別室
８      排出口
９      排出室
１０      回転ドラム
１０ａ      透孔
１１      移送スクリウ
１２      回転軸
１７，２６      洗浄ノズル
１８      回転軸
２４      移送羽根
２４ａ      先端傾斜部
２５      ダンパー機構
【図１】
2010029829.tif 000003
【図２】
2010029829.tif 000004
【図３】
2010029829.tif 000005